(57)【要約】【課題】製造コストの上昇を招くことなく、各磁気ディスク媒体を特定して転写条件毎の障害解析や品質管理を行う。【解決手段】磁気転写により両面にプリフォーマットがなされる磁気ディスク媒体であって、表面と裏面とで、判定対象情報にあらかじめ対応づけられた所定の角度だけずれた位置に同一セクタ番号のセクタが配置されている。これを実現するため、磁気転写装置１１は、前記第１マスタ媒体及び前記第２マスタ媒体を、当該第１マスタ媒体と当該第２マスタ媒体との相対角度をずらした状態で第１転写ホルダ及び第２転写ホルダに保持させる保持機構を備える。【選択図】図１
2012138137.tif 000002
【特許請求の範囲】
【請求項１】
磁気転写により両面にプリフォーマットがなされる磁気ディスク媒体であって、
表面と裏面とで、判定対象情報にあらかじめ対応づけられた所定の角度だけずれた位置に同一セクタ番号のセクタが配置されていることを特徴とする磁気ディスク媒体。
【請求項２】
前記所定の角度は、同一面で隣設された二つのセクタの間の角度のｎ倍（ｎは、自然数）とされていることを特徴とする請求項１記載の磁気ディスク媒体。
【請求項３】
前記判定対象情報は、磁気転写の版数であり、
前記所定の角度は、前記版数が同一の場合には、同一角度とされ、前記版数が異なる場合には、異なる角度とされている、ことを特徴とする請求項１又は請求項２記載の磁気ディスク媒体。
【請求項４】
前記セクタ番号は、シードパターンに対応するものであることを特徴とする請求項１乃至請求項３のいずれかに記載の磁気ディスク媒体。
【請求項５】
磁気転写により両面にプリフォーマットがなされる磁気ディスク媒体であって、
前記磁気ディスク媒体の両面の同一位置にセクタがそれぞれ形成されているとともに、同一位置に形成されたセクタのセクタ番号の差が、判定対象情報にあらかじめ対応づけられた所定の値となっていることを特徴とする磁気ディスク媒体。
【請求項６】
前記判定対象情報は、磁気転写の版数であり、
前記所定の値は、前記版数が同一の場合には、同一値とされ、前記版数が異なる場合には、異なる値とされている、ことを特徴とする請求項５記載の磁気ディスク媒体。
【請求項７】
磁気ディスク媒体の一方の面に磁気転写を行うための第１マスタ媒体を保持する第１転写ホルダと、
前記磁気ディスク媒体の他方の面に磁気転写を行うための第２マスタ媒体を保持する第２転写ホルダと、
磁気転写時に前記磁気ディスク媒体の表面と裏面とで、判定対象情報にあらかじめ対応づけられた所定の角度だけずれた位置に同一セクタ番号のセクタが配置されるように前記第１マスタ媒体及び前記第２マスタ媒体を、前記第１転写ホルダ及び前記第２転写ホルダに保持させ、あるいは、磁気転写時に前記磁気ディスク媒体の両面の同一位置にセクタがそれぞれ形成されるとともに、同一位置に形成されたセクタのセクタ番号の差が、判定対象情報にあらかじめ対応づけられた所定の値となるように、前記第１マスタ媒体及び前記第２マスタ媒体を、前記第１転写ホルダ及び前記第２転写ホルダに保持させる保持機構と、
を備えたことを特徴とする磁気転写装置。
【発明の詳細な説明】
【技術分野】
【０００１】
本発明の実施形態は、磁気ディスク媒体及び磁気転写装置に関する。
【背景技術】
【０００２】
従来、磁気ディスク媒体を用いた磁気ディスク記録装置においては、各種情報が記録されるトラックの位置決めを行うためのサーボ信号や、各トラックを特定するためのアドレス信号、再生クロック信号がデータの未記録状態においても再生される必要がある。そこで、これらの信号を再生可能なように、磁気ディスク媒体の製造時において、いわゆるプリフォーマットが行われている。
【０００３】
このプリフォーマットを正確にかつ高効率で行うために、マスタ媒体に担持された磁気パターンを磁気ディスク媒体に転写する磁気転写方法が広く知られている（例えば特許文献１参照）。
【０００４】
磁気ディスク媒体の両面に同時に磁気転写を行う磁気転写装置は、マスタ媒体をそれぞれ保持する一対のホルダを有し、ホルダに保持されたマスタ媒体は、磁気ディスク媒体を両面から挟み込んで密着状態とされる。そして、転写磁界を印加することにより磁気ディスク媒体には、サーボパターンが転写され、プリフォーマットがなされることとなっていた。
上記方法により製造されるプリフォーマットがなされた磁気ディスク媒体においては、表側のサーフェス（surface）及び裏側のサーフェスにおけるセクタ形成位置（及びセクタ番号）は、一致するようにされていた。
【先行技術文献】
【特許文献】
【０００５】
【特許文献１】特開２００４−３１８９４６号公報
【発明の概要】
【発明が解決しようとする課題】
【０００６】
ところで、上記従来の磁気転写装置におけるプリフォーマットがなされた磁気ディスク媒体の製造管理において、転写条件毎の障害解析や品質管理を行うことを考えた場合には、各磁気ディスク媒体を転写条件毎に識別する必要がある。しかしながら、できあがった磁気記録媒体は全て同様の構成となっていた。したがって、そのままでは各磁気ディスク媒体を識別することができなかった。特に磁気ディスク媒体を磁気ディスク装置に組み込んだ後に、障害解析を転写条件と関連づけて行おうとする場合には、別途何らかの識別手段を設けたりする必要があった。この識別手段としては、例えば、磁気ディスク装置と磁気ディスク媒体を対応づけたデータベースを構築する、識別符号を磁気ディスク媒体に付加する等が考えられる。
いずれにしても、これらの手段を設けることは、製造コストの上昇につながるという問題点があった。
【０００７】
本発明は、上記に鑑みてなされたものであって、各磁気ディスク媒体を特定して転写条件毎の障害解析や品質管理を容易に行うことが可能な磁気ディスク媒体及び磁気転写装置を提供することにある。
【課題を解決するための手段】
【０００８】
実施形態の磁気ディスク媒体は、磁気転写により両面にプリフォーマットがなされる磁気ディスク媒体であって、表面と裏面とで、判定対象情報にあらかじめ対応づけられた所定の角度だけずれた位置に同一セクタ番号のセクタが配置されている。
【０００９】
また、実施形態の磁気ディスク媒体は、磁気転写により両面にプリフォーマットがなされる磁気ディスク媒体であって、前記磁気ディスク媒体の両面の同一位置にセクタがそれぞれ形成されているとともに、同一位置に形成されたセクタのセクタ番号の差が、判定対象情報にあらかじめ対応づけられた所定の値となっている。
【図面の簡単な説明】
【００１０】
【図１】図１は、第１実施形態の磁気転写装置の第１の概略説明斜視図である。
【図２】図２は、第１実施形態の磁気転写装置の第２の概略説明斜視図である。
【図３】図３は、セクタオフセット値の設定説明図である。
【図４】図４は、磁気ディスク媒体を組み込んだ磁気ディスク装置の説明図である。
【図５】図５は、磁気ディスク装置の概要構成断面図である。
【図６】図６は、セクタオフセット判別範囲の設定説明図である。
【図７】図７は、磁気ディスク媒体の表面と裏面とで、同一位置に形成するセクタの番号を所定数ずらす場合の、セクタの形成状態の説明図である。
【図８】図８は、磁気ディスク媒体の表面と裏面とで、同一位置に形成するセクタの番号を所定数ずらす場合の、セクタオフセット値の判別処理の説明図である。
【図９】図９は、磁気転写装置にプリフォーマット対象の磁気ディスク媒体を待機位置で装着した場合の説明図である。
【図１０】図１０は、第２転写ホルダを磁気転写位置に移動させた場合の説明図である。
【図１１】図１１は、第１電磁石及び第２電磁石に電流を流した場合の動作説明図である。
【図１２】図１２は、第２実施形態の磁気転写装置の概略説明斜視図である。
【図１３】図１３は、第２実施形態の第２転写ホルダの正面図である。
【図１４】図１４は、第２実施形態の磁気転写装置において、第１マスタ媒体と、第２マスタ媒体との相対角度を変更する場合の説明図である。
【発明を実施するための形態】
【００１１】
（第１実施形態）
図１は、第１実施形態の磁気転写装置の第１の概略説明斜視図である。
図２は、第１実施形態の磁気転写装置の第２の概略説明斜視図である。
磁気転写装置１１は、略円柱状の第１転写ホルダ１２及び第２転写ホルダ１３を備えている。この第１転写ホルダ１２及び第２転写ホルダ１３は、非磁性体により形成されている。ここで、第１転写ホルダ１２は、第１マスタ媒体１５を保持するマスタ媒体保持面１２Ａを有しており、第２転写ホルダ１３は、第２マスタ媒体１８を保持するマスタ媒体保持面１３Ａを有している。
【００１２】
磁気転写装置１１においては、マスタ媒体保持面１２Ａと、マスタ媒体保持面１３Ａとが、対向するように、第１転写ホルダ１２及び第２転写ホルダ１３が保持されている。この場合において、マスタ媒体保持面１２Ａ及びマスタ媒体保持面１３Ａは、例えば床面に直交する垂直面に沿って配置するようにされている。
【００１３】
第１転写ホルダ１２のマスタ媒体保持面１２Ａには、マスタ媒体用内径軸１４が突設されている。このマスタ媒体用内径軸１４には、第１マスタ媒体１５が装着される。このとき、第１転写ホルダ１２には、第１マスタ媒体１５の取付基準位置を示すマークあるいはゲージが設けられている。
第１マスタ媒体１５にあらかじめ設けられた取付基準位置マークを、第１転写ホルダ１２に設けられた取付基準位置を示すマークあるいはゲージに合わせて装着することにより、第１マスタ媒体１５は第１転写ホルダ１２に所定状態で取り付けられる。
この場合において、取付基準位置マークとしては、例えば、所定のセクタ番号を有するセクタの形成予定位置等としている。また、所定状態とは、基準位置を一致させた状態、又は、所定角度若しくは所定セクタ数ずらした状態をいう。
【００１４】
第１マスタ媒体１５は、非磁性体で構成されたマスタ媒体本体と、マスタ媒体本体の表面に配置される磁性体パターンと、を備えて形成されている。磁性体パターンは、磁気ディスク媒体３１の一方のサーフェス（本実施形態では、裏面）に確立されるサーボパターンの形状を反映している。第１マスタ媒体１５を構成する磁性体パターンは、後述する磁気転写対象の磁気ディスク媒体３１（図３参照）の裏面のサーボセクタ領域に確立されるサーボパターンの形状が反映されている。
【００１５】
マスタ媒体用内径軸１４には、後述する磁気転写対象の磁気ディスク媒体３１が装着されて、保持される磁気ディスク媒体用内径軸１６が形成されている。この磁気ディスク媒体用内径軸１６は、例えば、軟磁性材料により形成される。また、マスタ媒体用内径軸１４の軸心は、磁気ディスク媒体用内径軸１６の軸心に一致している。
こうして第１マスタ媒体１５の表面には磁気ディスク媒体３１の裏面が重ね合わせられる。
【００１６】
一方、第２転写ホルダ１３のマスタ媒体保持面１３Ａには、図２に示すように、マスタ媒体用内径軸１７が突設されている。このマスタ媒体用内径軸１７には第２マスタ媒体１８が装着される。このとき、第２転写ホルダ１３には、第２マスタ媒体１８の取付基準位置を示すマークあるいはゲージが設けられている。そして、第２マスタ媒体１８にあらかじめ設けられた取付基準位置マークを、第２転写ホルダ１３に設けられた取付基準位置を示すマークあるいはゲージに合わせて装着する。これにより、第２マスタ媒体１８は、第２転写ホルダ１３に所定状態で取り付けられる。ここで、所定状態とは、基準位置を一致させた状態、又は、所定角度若しくは所定セクタ数ずらした状態をいう。
また、第２マスタ媒体１８は、第１マスタ媒体１５に対向している。第１転写ホルダ１２のマスタ媒体用内径軸１４の軸心と、第２転写ホルダ１３のマスタ媒体用内径軸１７の軸心とは一致している。さらに第２マスタ媒体１８の径は第１マスタ媒体１５の径と同一に設定されている。
【００１７】
第２マスタ媒体１８は、第１マスタ媒体１５と同様に、非磁性体で構成されたマスタ媒体本体と、マスタ媒体本体の表面に配置される磁性体パターンと、を備えて形成されている。磁性体パターンは、磁気ディスク媒体３１の他方のサーフェス（本実施形態では、表面）に確立されるサーボパターンの形状を反映している。第２マスタ媒体１８を構成する磁性体パターンは、後述する磁気転写対象の磁気ディスク媒体３１（図３参照）の表面のサーボセクタ領域に確立されるサーボパターンの形状が反映されている。
【００１８】
ここで、第１マスタ媒体１５及び第２マスタ媒体１８の第１転写ホルダ１２あるいは第２転写ホルダ１３に対する取り付け状態と、形成されるサーボパターン（特に、セクタ配置）との関係について説明する。
【００１９】
本実施形態においては、第１マスタ媒体１５あるいは第２マスタ媒体１８を交換したり、磁気転写処理条件（磁束密度や、磁気転写時間等）を変更したりして、磁気転写条件が変更された場合には、障害解析や品質管理を行うために、版数管理を行っている。
すなわち、磁気転写条件が変更される毎に、版数を変更して管理を行っている。
【００２０】
そして、版数を判別するために、磁気ディスク媒体３１の表面と、裏面とで、形成する同一セクタ番号を有するセクタを所定角度ずらして配置し、あるいは、磁気ディスク媒体３１の表面及び裏面に形成するセクタを鏡面対称状態に形成し、同一位置に形成するセクタの番号を所定数ずらしている。
【００２１】
図３は、セクタオフセット値の設定説明図である。
例えば、磁気ディスク媒体３１の表面と、裏面とで、形成する同一セクタ番号を有するセクタを所定角度ずらして配置する場合であって、図３に示すように、版数＝０〜９の１０版まで管理する場合には、以下の通りとなる。
例えば、版数＝０の場合には、磁気ディスク媒体３１の表面と、裏面との間のセクタオフセット設定値（セクタをずらす角度）は、５度、版数＝１の場合には、セクタオフセット設定値＝１５度、…、版数＝９の場合には、セクタオフセット設定値＝９５度のように１０度ずつ、セクタオフセット設定値を変更するようにしている。したがって、例えば、版数＝６である場合には、セクタオフセット値を６５度に設定する。すなわち、第１マスタ媒体１５及び第２マスタ媒体１８は、基準位置のずれ量が６５度となるように、第１転写ホルダ１２あるいは第２転写ホルダ１３に取り付けられることとなる。
【００２２】
次に本実施形態の磁気ディスク媒体３１を組み込んだ磁気ディスク装置について説明する。
図４は、磁気ディスク媒体を組み込んだ磁気ディスク装置の説明図である。
また、図５は、磁気ディスク装置の概要構成断面図である。
【００２３】
磁気ディスク装置５１は、筐体本体５２を備えている。ここでは、説明の簡略化のため、筐体本体５２の収容空間には、磁気ディスク媒体３１が１枚収容されているものとする。
磁気ディスク媒体３１は、スピンドルモータ５４の回転軸に装着されている。
筐体本体５２の収容空間には、さらにキャリッジ５５が収容されている。このキャリッジ５５は、支軸５６に回転可能に支持されるキャリッジブロック５７を備えている。キャリッジブロック５７には、磁気ディスク媒体３１の表面及び裏面に対してそれぞれ略平行に配置された一対のキャリッジアーム５８が設けられている。
【００２４】
各キャリッジアーム５８の先端にはヘッドサスペンション５９が取り付けられ、これらのヘッドサスペンション５９の前端には、浮上ヘッドスライダ６１が支持されている。
この浮上ヘッドスライダ６１には、図示しない磁気ヘッドが搭載されている。
【００２５】
各浮上ヘッドスライダ６１には、磁気ディスク媒体３１のサーフェスに向かってヘッドサスペンション５９から押し付け力が作用する。これとともに、磁気ディスク媒体３１がスピンドルモータ５４に回転させられると、磁気ディスク媒体３１表面で生じる気流の働きで浮上ヘッドスライダ６１には浮力が作用する。この結果、ヘッドサスペンション５９の押し付け力と浮上ヘッドスライダ６１の浮力とのバランスで磁気ディスク媒体３１の回転中には、浮上ヘッドスライダ６１は浮上し続けることとなる。
【００２６】
一方、キャリッジブロック５７には、ボイスコイルモータ（ＶＣＭ）６２が動力源として接続されており、このＶＣＭ６２の働きでキャリッジブロック５７は支軸５６を回動軸として、回動することができるようになっている。
【００２７】
このキャリッジブロック５７の回動に基づきキャリッジアーム５８及びヘッドサスペンション５９が揺動される。そして、浮上ヘッドスライダ６１の浮上中に、支軸５６に対して、キャリッジアーム５８が揺動する。これらの結果、浮上ヘッドスライダ６１は磁気ディスク媒体３１の半径方向に、磁気ディスク媒体３１の表面を横切る。したがって、磁気ディスク媒体３１の複数のトラックの情報を磁気ヘッドにより読み書きすることができるようになっている。そして、磁気ディスク媒体３１に形成された複数のサーボセクタから、セクタ番号を読み出すことが可能となっている。
【００２８】
これにより、磁気ディスク媒体３１が組み込まれた磁気ディスク装置５１において、磁気ディスク媒体３１の版数を判別する場合には、まず、磁気ディスク媒体３１の一方の面で、基準とするいずれかのセクタ番号を読み出す。そして、当該読み出したセクタ番号と同一のセクタ番号を有するセクタが他方の面で検出されるまでのセクタオフセット値を検出する。つづいて、検出したセクタオフセット値がどのセクタオフセット範囲に属するかに基づいて版数を判別する。
【００２９】
図６は、セクタオフセット判別範囲の設定説明図である。
図６に示すように、検出されたセクタオフセット値が、０度〜９度である場合には、版数＝０となる。同様に、１０〜１９度である場合には、版数＝１、…、９０度〜９９度である場合には、版数＝９と判定する。例えば、検出されたセクタオフセット値が、６６度であった場合には、版数＝６と判定される。
【００３０】
以上の説明は、磁気ディスク媒体３１の表面と、裏面とで、形成する同一セクタ番号を有するセクタを所定角度ずらして配置する場合のものであった。以下においては、磁気ディスク媒体３１の表面と、裏面とで、セクタ形成位置は同一とし、セクタ番号を変更する場合について説明する。
図７は、磁気ディスク媒体の表面と裏面とで、同一位置に形成するセクタの番号を所定数ずらす場合の、セクタの形成状態の説明図である。
【００３１】
例えば、磁気ディスク媒体３１の表面と、裏面とで、同一位置に形成するセクタの番号を（版数×１０−１）ずらしたとする。これにより、版数＝６の場合には、同一位置に形成されるセクタの番号は、５９ずれることとなる。ここでは、このセクタ番号のずれをセクタオフセット値と呼ぶものとする。
【００３２】
この結果、例えば、図７に示すように、磁気ディスク媒体３１の表面に形成されたセクタの番号＝０である場合に、裏面に形成されているセクタの番号＝６０となる。
【００３３】
図８は、磁気ディスク媒体の表面と裏面とで、同一位置に形成するセクタの番号を所定数ずらす場合の、セクタオフセット値の判別処理の説明図である。
磁気ディスク装置５１において、キャリッジアーム５８、ヘッドサスペンション５９及び浮上ヘッドスライダ６１（磁気ヘッド）は、磁気ディスク媒体３１の表面と裏面とで、対となっている。そして、磁気ディスク媒体３１の表面側で、読み取ったセクタ番号＝１２であった場合に、ヘッドチェンジを行う。ヘッドチェンジの結果、磁気ディスク媒体３１の裏面側で、読み取ったセクタ番号＝７４であったとする。このように、セクタ番号のずれであるセクタオフセット値＝６２であった場合には、例えば、図６のセクタオフセット検出値の単位を角度からセクタ番号に読み替えると、版数＝６であると判別されることとなる。
【００３４】
このように、本実施形態によれば、磁気ディスク媒体３１の表面及び裏面から所定の条件でセクタ番号を読み出すことにより、ずれ角度あるいはセクタ番号のずれから容易に版数を特定できる。そして、版数管理に基づく、障害解析や品質管理を行うことが可能である。
【００３５】
この版数検出は、上述したように、磁気ディスク媒体３１が磁気ディスク装置５１に組み込まれている場合に適用可能である。また、磁気ディスク媒体３１を磁気ディスク装置５１から取り外した場合であっても、セクタ番号さえ読み出すことが可能であれば、適用可能となっている。
【００３６】
次に、磁気ディスク媒体３１の表面と、裏面とで、形成する同一セクタ番号を有するセクタを所定角度ずらして配置し、あるいは、磁気ディスク媒体３１の表面及び裏面に形成するセクタを鏡面対称状態に形成し、同一位置に形成するセクタの番号を所定数ずらしつつ、磁気転写を行う処理について説明する。
図１及び図２に示したように、第１転写ホルダ１２及び第２転写ホルダ１３には、着磁機構２１が設けられている。
【００３７】
着磁機構２１は、電流の供給に応じて磁界を生成する第１電磁石２２及び第２電磁石２３を備えている。第１電磁石２２及び第２電磁石２３は、同一構成であり、磁性コア２４と、磁性コア２４に巻き付けられたコイル２５と、を備えている。第１電磁石２２及び第２電磁石２３は、共働して磁気転写を行うための磁界を生成している。
【００３８】
着磁機構２１は、制御回路２６の制御下で磁気転写を行うための磁界を生成している。そして、制御回路２６は、第１電磁石２２及び第２電磁石２３に供給される電流の大きさや向きを個別に制御している。すなわち、制御回路２６は、所定の制御プログラムに従って電流の大きさや向きを制御して、磁気転写を行うための磁界（磁力線）を制御する。
【００３９】
磁気転写装置１１において、第１転写ホルダ１２及び第１電磁石２２は、固定設置されている。一方、第２転写ホルダ１３及び第２電磁石２３は、第１転写ホルダ１２及び第１電磁石２２に対して相対的に離接可能に移動することができる。すなわち、第２転写ホルダ１３はマスタ媒体用内径軸１７の軸心に沿った矢印ＡＸ方向に沿って移動することができる。こういった第２転写ホルダ１３の移動は、例えば、図示しない案内レールの案内に基づき実現される。
【００４０】
図９は、磁気転写装置にプリフォーマット対象の磁気ディスク媒体を待機位置で装着した場合の説明図である。
図１０は、第２転写ホルダを磁気転写位置に移動させた場合の説明図である。
本実施形態においては、第２転写ホルダ１３は、所定の待機位置及び磁気転写位置の間で移動することができる。所定の待機位置においては、図３に示すように、第１転写ホルダ１２と、第２転写ホルダ１３と、の間には所定の間隔が確保される。この状態において、第１転写ホルダ１２の磁気ディスク媒体用内径軸１６に、プリフォーマット前の磁気ディスク媒体３１が装着される。
【００４１】
一方、第２転写ホルダ１３及び第２電磁石２３が所定の待機位置から第１転写ホルダ１２に向かって移動すると、第１転写ホルダ１２及び第２転写ホルダ１３は、図１０に示すように、所定の磁気転写位置で結合状態となる。こうして第１転写ホルダ１２及び第２転写ホルダ１３内で、第１マスタ媒体１５及び第２マスタ媒体１８は、磁気ディスク媒体３１を挟み込むことができる。
【００４２】
次に、磁気ディスク媒体３１にサーボパターンを書き込むためにプリフォーマットを行う場合について説明する。
まず、図９に示したように、第２転写ホルダ１３及び第２電磁石２３が所定の待機位置にある状態で、第１転写ホルダ１２の磁気ディスク媒体用内径軸１６に、初期化された磁気ディスク媒体３１が装着される。これにより、磁気ディスク媒体３１の裏面は、第１マスタ媒体１５の表面に重ね合わせられる。
【００４３】
図１１は、第１電磁石及び第２電磁石に電流を流した場合の動作説明図である。
続いて、制御回路２６は第１電磁石２２及び第２電磁石２３に電流の供給を開始する。
【００４４】
第１電磁石２２及び第２電磁石２３に電流が供給されると、例えば、図１１に示すように、第１電磁石２２から第２電磁石２３に向かって磁力線３２が生成される。
これにより、第１電磁石２２及び第２電磁石２３の間には磁気的引力が発生する。そして、第２電磁石２３及び第２転写ホルダ１３は、待機位置から磁気転写位置に向かって図示しない案内レールにより案内されて移動する。
【００４５】
そして、第１転写ホルダ１２及び第２転写ホルダ１３は、図１０に示したように、所定の磁気転写位置で結合状態となる。すなわち、第１マスタ媒体１５及び第２マスタ媒体１８は、磁気ディスク媒体３１を挟み込んで、磁気ディスク媒体３１の両面にそれぞれ接触状態となり、位置決めされる。
【００４６】
この状態で、第１電磁石２２及び第２電磁石２３に電流を流し続けると、第１電磁石２２と、第２電磁石２３との間には、磁気的引力が維持される。そして、第１マスタ媒体１５の表面は磁気ディスク媒体３１の裏面に密着される。この結果、第１マスタ媒体１５の磁性体パターンは、磁気ディスク媒体３１の裏面に密着する。そして、磁力線３２の働きで、磁気ディスク媒体３１の裏面では第１マスタ媒体１５の磁性体パターンに密着する領域で上書き磁化される。こうして磁気ディスク３１の裏面の磁性体パターンに密着した領域では、磁力線３２の向きとは反対向きに磁化される。
【００４７】
同様に、第２マスタ媒体１８の表面は磁気ディスク媒体３１の表面に密着される。この結果、第２マスタ媒体１８の磁性体パターンは、磁気ディスク媒体３１の表面に密着する。そして、磁力線３２の働きで、磁気ディスク媒体３１の表面では第２マスタ媒体１８の磁性体パターンに密着する領域で上書き磁化される。こうして磁気ディスク３１の表面の磁性体パターンに密着した領域では、磁力線３２の向きとは反対向きに磁化される。
このようにして、磁気ディスク媒体３１の表裏面にはサーボパターンが書き込まれる。
【００４８】
その後、制御回路２６は、第１電磁石２２及び第２電磁石２３への電流供給を停止させる。
これにより、第１電磁石２２と、第２電磁石２３と、の間の磁気的引力は消滅する。したがって、第２転写ホルダ１３と第１転写ホルダ１２との結合が解かれて、第２転写ホルダ１３は、磁気転写位置から待機位置に移動可能となる。なお、このとき、第１電磁石２２及び第２電磁石２３に、第１転写ホルダ１２及び第２転写ホルダ１３を、結合する場合とは、逆向きの電流を供給するようにしてもよい。これにより、第１電磁石２２と、第２電磁石２３と、の間の磁気的斥力により、待機位置に向かって、第２転写ホルダ１３が移動を開始することとなる。
【００４９】
その後、オペレータあるいは図示しないディスク脱着装置は、磁気ディスク媒体３１を、第１転写ホルダ１２から取り外すこととなる。
その後、オペレータあるいは図示しないディスク脱着装置は、磁気ディスク媒体用内径軸１６に、初期化された新しい磁気ディスク３１を装着し、同様の磁気転写の処理が繰り返されることとなる。
【００５０】
以上の説明のように、本第１実施形態の磁気転写装置１１によれば、磁気ディスク媒体３１の表面と、裏面とで、形成する同一セクタ番号を有するセクタが所定角度ずらして配置される。あるいは、磁気転写装置１１は、磁気ディスク媒体３１の表面及び裏面に形成するセクタを鏡面対称状態に形成し、同一位置に形成するセクタの番号が所定数ずれるようにする。このように構成するだけで、磁気ディスク媒体３１の製造コストの上昇を招くことなく、各磁気ディスク媒体３１を特定して転写条件毎の障害解析や品質管理を容易に行うことができる。
【００５１】
（第２実施形態）
上記第１実施形態においては、磁気ディスク媒体３１の表面と、裏面とで、形成する同一セクタ番号を有するセクタを所定角度ずらして配置した。あるいは、第１実施形態においては磁気ディスク媒体３１の表面及び裏面に形成するセクタを鏡面対称状態に形成し、同一位置に形成するセクタの番号を所定数ずらしていた。
【００５２】
そして、第１実施形態においては、上記構成のために、オペレータが、第１マスタ媒体１５及び第２マスタ媒体１８を第１転写ホルダ１２あるいは第２転写ホルダ１３に取り付けるに際して、これらのずれを設定していた。
しかしながら、本第２実施形態は、第１マスタ媒体１５及び第２マスタ媒体１８を第１転写ホルダ１２あるいは第２転写ホルダ１３の所定の取り付け基準位置に取り付け、磁気転写装置側でずれ量を設定できるようにする場合の実施形態である。
【００５３】
図１２は、第２実施形態の磁気転写装置の概略説明斜視図である。
図１２において、図１と同様の部分には、同一の符号を付し、その詳細な説明を援用する。
第２実施形態の磁気転写装置１１Ａが、第１実施形態の磁気転写装置１１と異なる点は、第２転写ホルダ１３Ｘに、あらかじめ設定した回動位置で、固定保持可能な回動軸７１が接続されて、第２マスタ媒体１８において、所望の回動量を得ることができるようにし、この回動量を制御回路２６Ａで制御できるようにした点である。
【００５４】
図１３は、第２実施形態の第２転写ホルダの正面図である。
この構成によれば、図１３に示すように、第２マスタ媒体１８の側縁部あるいは周縁部に形成した図示しない位置合わせマークを第２転写ホルダ１３Ｘの取付基準位置マークＲＭに合わせて取り付けるだけでよい。そしてこの構成によれば、制御回路２６Ａの制御下で所望の回動角ＲＸを設定することができる。したがって、同一の第１マスタ媒体１５及び第２マスタ媒体１８を使用して、磁気転写の処理を行っており、途中から磁気転写条件を変更した場合等には、第１マスタ媒体１５と、第２マスタ媒体１８との相対角度を変更することができる。
したがって、磁気ディスク媒体３１の表面と、裏面とで、形成する同一セクタ番号を有するセクタを所定角度ずらして配置することが容易に行える。あるいは、磁気ディスク媒体３１の表面及び裏面に形成するセクタを鏡面対称状態に形成し、同一位置に形成するセクタの番号を所定数ずらすことが容易に行える。
【００５５】
図１４は、第２実施形態の磁気転写装置において、第１マスタ媒体と、第２マスタ媒体との相対角度を変更する場合の説明図である。
本第２実施形態においては、第２転写ホルダ１３Ｘは、所定の待機位置及び磁気転写位置の間で矢印ＡＸ方向に移動することができるとともに、矢印ＲＸ方向に回動させることができる。したがって、所定の待機位置において、第１電磁石２２及び第２電磁石２３への電流強を遮断した状態で、制御回路２６Ａにより図示しない駆動装置により回動軸７１を回動させることにより、第１マスタ媒体１５と、第２マスタ媒体１８との相対角度を変更し、回動状態を保持、固定することとなる。
【００５６】
そして、図１４に示すように、第１転写ホルダ１２の磁気ディスク媒体用内径軸１６に、プリフォーマット前の磁気ディスク媒体３１を装着して、第２転写ホルダ１３Ｘ及び第２電磁石２３を所定の待機位置から第１転写ホルダ１２に向かって移動させる。さらに、第１転写ホルダ１２及び第２転写ホルダ１３Ｘ内で、第１マスタ媒体１５及び第２マスタ媒体１８により磁気ディスク媒体３１を挟み込む。
これにより、磁気ディスク媒体３１の表面と、裏面とで、形成する同一セクタ番号を有するセクタを所定角度ずらして配置することが可能となる。あるいは、磁気ディスク媒体３１の表面及び裏面に形成するセクタを鏡面対称状態に形成し、同一位置に形成するセクタの番号を所定数ずらすことが可能となる。
【００５７】
以上の説明のように、本第２実施形態によれば、第１実施形態の効果に加えて、版数の変更を容易に行うことができる。
【００５８】
（実施形態の変形例）
以上の各実施形態においては、セクタパターンの形成位置の制御を行っていたが、マスタ媒体に磁気ディスク装置において、最終パターンを記録する構成を採り、最終パターンを記録するに際して用いるリライト用シードパターンについて、同様の処理を行うように構成することも可能である。
【００５９】
この場合において、リライト用シードパターンは、リライトを行うことにより消去されてしまう場合には、リライトまでの版数管理が行えることとなる。また、リライト後も、磁気ディスク媒体の周縁部等にリライト用シードパターンが残る場合には、それらを読み取ることによって、リライト以降も版数管理を行うことが可能となる。
【００６０】
以上の各実施形態においては、セクタオフセット値に対応づける判定対象情報として、版数の場合を例として説明した。しかしながら、版数のみならず、磁気転写時の磁界強度等の転写条件、転写機を特定するための転写機ＩＤ情報等を含めた任意の情報を判定対象情報として、対応付けするように構成することも可能である。
【００６１】
また、本実施形態の制御回路２６は、ＣＰＵ等の制御装置と、ＲＯＭ（Read Only Memory）やＲＡＭ等の記憶装置と、ＨＤＤ、ＣＤドライブ装置等の外部記憶装置と、ディスプレイ装置等の表示装置と、キーボードやマウス等の入力装置を備えており、通常のコンピュータを利用したハードウェア構成を採っている。
【００６２】
そして、本実施形態の制御回路２６で実行される版数等の管理制御プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供されるようにしてもよい。
【００６３】
また、本実施形態の制御回路２６で実行される管理制御プログラムを、インターネット等のネットワークに接続されたコンピュータ上に格納し、ネットワーク経由でダウンロードさせる等、ネットワーク経由で提供又は配布するように構成しても良い。
また、本実施形態の管理制御プログラムを、ＲＯＭ等に予め組み込んで提供するように構成してもよい。
【００６４】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００６５】
１１、１１Ａ  磁気転写装置
１２    第１転写ホルダ
１２Ａ  マスタ媒体保持面
１３、１３Ｘ    第２転写ホルダ
１３Ａ  マスタ媒体保持面
１４    マスタ媒体用内径軸
１５    第１マスタ媒体
１６    磁気ディスク媒体用内径軸
１７    マスタ媒体用内径軸
１８    第２マスタ媒体
２１    着磁機構
２２    第１電磁石
２３    第２電磁石
２４    磁性コア
２５    コイル
２６、２６Ａ    制御回路
３１    磁気ディスク媒体
【図１】
2012138137.tif 000003
【図２】
2012138137.tif 000004
【図３】
2012138137.tif 000005
【図４】
2012138137.tif 000006
【図５】
2012138137.tif 000007
【図６】
2012138137.tif 000008
【図７】
2012138137.tif 000009
【図８】
2012138137.tif 000010
【図９】
2012138137.tif 000011
【図１０】
2012138137.tif 000012
【図１１】
2012138137.tif 000013
【図１２】
2012138137.tif 000014
【図１３】
2012138137.tif 000015
【図１４】
2012138137.tif 000016